(57)【要約】【課題】  複雑な光模様の万華鏡像を見せることの可能な遊技装置を得る。【解決手段】  遊技盤２と、遊技盤に取り付けられる遊技部品と、遊技部品の光源を制御する制御装置（演出制御装置４）とを備えた遊技装置１において、遊技部品３が、多数の反射板１１と、多数の反射板１１からなる反射面１２を互いに内側に向き合わせる組み合わせによって前側に開口した角錐形の反射空洞１６を形成する万華鏡箱５と、角錐形の反射空洞１６に照射した光で万華鏡像を多数の反射板１１の反射面１２に映し出するように多数の反射板１１の各々に対し少なくとも１個ずつ割り当てられて配置された光源（ＬＥＤ１０）と、多数の反射板１１の反射面１２に映し出された万華鏡像を反射空洞１６の前側の開口から見えるように万華鏡箱を遊技盤２に取り付ける取付部材（取付フランジ３５）とを備えた。【選択図】図１
2006136377.tif 000002
【特許請求の範囲】
【請求項１】
遊技盤と、遊技盤に取り付けられる遊技部品と、遊技部品の光源を制御する制御装置とを備えた遊技装置において、遊技部品が、多数の反射板と、多数の反射板からなる反射面を互いに内側に向き合わせる組み合わせによって前側に開口した角錐形の反射空洞を形成する万華鏡箱と、角錐形の反射空洞に照射した光で万華鏡像を多数の反射板の反射面に映し出すように多数の反射板の各々に対し少なくとも１個ずつ割り当てられて配置された光源と、多数の反射板の反射面に映し出された万華鏡像を反射空洞の前側の開口から見えるように万華鏡箱を遊技盤に取り付ける取付部材とを備えたことを特徴とする遊技装置。
【請求項２】
遊技部品が前側に開口した外箱を備え、外箱の外面には取付部材が設けられ、外箱の開口側の内面には万華鏡箱が取り付けられ、外箱の後部には万華鏡箱の後部を保持する保持部が形成されたことを特徴とする請求項１に記載の遊技装置。
【請求項３】
光源が外箱の外面に取り付けられ、光源の光を光ファイバーにより万華鏡箱の反射空洞に照射し、光ファイバーが前側から見えるように設けられたことを特徴とする請求項２に記載の遊技装置。
【請求項４】
万華鏡箱の開口の前面には遮光板が設けられ、遮光板の中央には万華鏡箱の内側を覗くための覗き孔が設けられたことを特徴とする請求項１ないし請求項３のいずれかに記載の遊技装置。
【請求項５】
光源が、赤、緑、青の三色の発光素子を備えた七色に発光可能な三色型ＬＥＤであることを特徴とする請求項１ないし請求項４のいずれかに記載の遊技装置。
【発明の詳細な説明】
【技術分野】
【０００１】
本発明は、複雑な光模様の万華鏡像を見せることの可能な遊技装置に関する。
【背景技術】
【０００２】
模様を作り出す色材として、金属の炎色反応を用いた万華鏡（例えば、特許文献１参照）や、ＬＥＤの点灯光を用いた万華鏡（例えば、特許文献２参照）が知られている。
【特許文献１】実公平１−３６１７１号公報
【特許文献２】特開２００１−２１５４４２号公報
【発明の開示】
【発明が解決しようとする課題】
【０００３】
特許文献１の万華鏡はバーナーを用いるので、万華鏡像の再現性がなく、また、防災的な観点からして、パチンコ機やスロットマシンなどの遊技機に搭載する万華鏡としてはにわかに採用しがたい。一方、特許文献２の万華鏡はＬＥＤを用いているので、再現性があり、防災面においても問題がなく、遊技機に搭載することが可能である。この三角柱状の鏡筒の後部に色材としてのＬＥＤを配置した従来の万華鏡は、鏡筒内でのＬＥＤの光の反射による万華鏡像を覗き窓から見えるようにするためには、鏡筒の長さを長くすることが望ましい。しかし、鏡筒を長くしたとしても、三角柱状の鏡筒なので、覗き窓から鏡筒内を覗いた場合には鏡筒の後部のＬＥＤの光色が直接的に見えてしまうので、複雑な光模様の万華鏡像を見せることができなかった。また、三角柱状の鏡筒を長くすれば、遊技店の島と呼ばれる遊技機設置設備に背中合わせに設置される裏側スペースの少ない遊技機に搭載することは困難である。
【課題を解決するための手段】
【０００４】
本発明の遊技装置は、遊技盤と、遊技盤に取り付けられる遊技部品と、遊技部品の光源を制御する制御装置とを備えた遊技装置において、遊技部品が、多数の反射板と、多数の反射板からなる反射面を互いに内側に向き合わせる組み合わせによって前側に開口した角錐形の反射空洞を形成する万華鏡箱と、角錐形の反射空洞に照射した光で万華鏡像を多数の反射板の反射面に映し出すように多数の反射板の各々に対し少なくとも１個ずつ割り当てられて配置された光源と、多数の反射板の反射面に映し出された万華鏡像を反射空洞の前側の開口から見えるように万華鏡箱を遊技盤に取り付ける取付部材とを備えたことを特徴とする。遊技部品が前側に開口した外箱を備え、外箱の外面には取付部材が設けられ、外箱の開口側の内面には万華鏡箱が取り付けられ、外箱の後部には万華鏡箱の後部を保持する保持部が形成されたことや、光源が外箱の外面に取り付けられ、光源の光を光ファイバーにより万華鏡箱の反射空洞に照射し、光ファイバーが前側から見えるように設けられたことや、万華鏡箱の開口の前面には遮光板が設けられ、遮光板の中央には万華鏡箱の内側を覗くための覗き孔が設けられたことや、光源が、赤、緑、青の三色の発光素子を備えた七色に発光可能な三色型ＬＥＤであることも特徴とする。
【発明の効果】
【０００５】
本発明の遊技装置によれば、万華鏡箱が前側に開口した角錐形の反射空洞を備え、かつ、光源が多数の反射板の各々に対し少なくとも１個ずつ割り当てられて万華鏡箱の反射空洞に光を照射するので、複雑な光模様の万華鏡像を遊技者に見せることができ、また、万華鏡箱の前後の長さを短くできるので裏側スペースの少ない遊技機に搭載するのに好適な遊技装置が得られる。外箱が後部に万華鏡箱の後部を保持する保持部を備えるので、外箱の内側に万華鏡を取り付ける作業を容易にできる。さらに、外箱の開口側の内面には万華鏡箱が取り付けられるので、万華鏡箱の前後を外箱に安定に組み付けることができ、外箱の外面への球の衝突による万華鏡箱の変形や揺れを防止できる。光ファイバーが前側から目視されるので、光ファイバーの光の色、点滅による光装飾をも遊技者に見せることができる。万華鏡箱の開口の前面には遮光板が設けられたので、万華鏡箱内へ入り込む外乱光を少なでき、反射箱内に映し出される万華鏡像を遊技者に覗き窓から鮮明に見せることができる。光源として三色型ＬＥＤを用いたことで、遊技者に七色の光及びＬＥＤの点滅による万華鏡像を見せることができ、光装飾効果を高めることができる。
【発明を実施するための最良の形態】
【０００６】
図１〜図６は本発明の最良の形態であって、図１はパチンコ機に搭載された遊技装置を構成する遊技盤及び遊技盤に取り付けられた遊技部品の断面を示し、図２は遊技部品を分解して示し、図３は遊技盤に取り付けられた遊技部品を示し、図４は遊技部品の前面を示し、図５は遊技部品の裏面を示し、図６は遊技装置を搭載したパチンコ機の前側を示す。
【０００７】
図１に示すように、遊技装置１は、パチンコ機の遊技盤２と、遊技盤２に取り付けられる遊技部品３と、遊技部品３の光源を制御する制御装置としての演出制御装置４とにより構成される。遊技部品３は、万華鏡箱５、遮光板６、外箱７、保持構成体８、光ファイバー９、光源としてのＬＥＤ１０の組み合わせにより形成される。
【０００８】
図２を参照し、遊技部品３を構成する部品について説明する。万華鏡箱５は前側に開口した正三角形の開口部１５を持つ三角錐形の反射空洞１６を備えたものである。万華鏡箱５は、二等辺三角形あるいは正三角形の三枚の反射板１１の反射面１２を互いに内側に向き合わせて反射板１１の等しい斜辺１３；１３同士を互いに接着剤で接合して組み合わせることによって、三枚の反射板１１の底辺部１４で囲まれた正三角形の開口部１５を有した三角錐形の反射空洞１６が形成される。開口部１５の周りを囲む反射板１１の底辺部１４の肉厚はその他の部分の肉厚より厚い。万華鏡箱５の反射空洞１６の内面となる反射板１１の反射面１２はめっきにより鏡面に形成される。反射空洞１６の後端部１７は閉じられている。万華鏡箱５の開口部１５の３つの角部１８には取付部２０が設けられる。取付部２０の外面にはねじ取付孔２０ａが形成される。万華鏡箱５の反射空洞１６を形成する１つ１つの反射板１１の前後のほぼ中央には、反射板１１の底辺部１４に沿う方向において互いに所定距離隔てて多数の取付孔２１が成される。取付孔２１は、万華鏡箱５の外面５ａと内面である反射面１２とに貫通した貫通孔２１ａと、万華鏡箱５の外面５ａに接着剤で取り付けられた筒体ブロック２２に形成された貫通孔２１ｂとからなる（図１参照）。すなわち、連接された貫通孔２１ａと貫通孔２１ｂとにより、光ファイバー９の光出口部２３の取付孔２１が形成される。取付孔２１の長さを長くしたので、光ファイバー９の光出口部２３の曲がりを防止できるとともに、光出口部２３の取付孔２１からの抜け落ちを抑止できる。
【０００９】
遮光板６は、万華鏡箱５の開口部１５を塞ぐ大きさの正三角形に形成される。遮光板６の中央には真円形状の覗き孔２５が形成される。覗き孔２５は、万華鏡箱５の開口部１５における反射面１２側の内縁に内接する大きさに形成される。遮光板６の正三角形の３つの角部２６には取付部２７が設けられる。取付部２７は角部２６より後方に延びる平板部２８と平板部２８を貫通する取付孔２９とにより形成される。遮光板６を設けたことで、遊技店の店内の照明による前側からの万華鏡箱５内への外乱光の進入を少なくでき、覗き孔２５から万華鏡像を鮮明に見せることができる。また、遮光板６の前面には黒色塗膜３０が形成され、黒色塗膜３０により遊技店の店内の照明による前側からの光を吸収するので、覗き孔２５から万華鏡像をさらに鮮明に見せることができる。
【００１０】
外箱７は、正六角形の六角筒３１と六角筒３１の後端に止ねじ３１ａ（図１参照）で取り付けられた裏板３２とにより前側に開口した正六角形の開口部３３を備えた六角形の箱形状に形成される。裏板３２の中央には万華鏡箱５の後端部１７を位置決め支持する孔筒により形成された保持部３４（図１；５参照）を備える。六角筒３１の開口部３３側の外周面には遊技盤２への取付部材としての取付フランジ３５を備える。取付フランジ３５は、開口部３３より裏板３２の方向に一定距離離れた六角筒３１の外周面の全周囲より外方に直角方向に延長する前後厚さの一定の平板により形成される。前側から見た取付フランジ３５の外周形状は、六角筒３１の中心を円中心とした円形状に形成される。六角筒３１を形成する６つの面部のうち、六角筒３１の中心を基準に互いに１２０度隔てた位置にある３つの面部３６には光ファイバー９を通す通孔３７が形成される。通孔３７は、３つの面部３６における外箱７の裏板３２側において六角筒３１の周方向に延長する長孔により形成される。通孔３７の両端の横における面部３６の外面３６ａには取付支柱３８が設けられる。外箱７の内面には黒色塗膜３９が形成され、黒色塗膜３９により遊技店の店内の照明による前側からの光を吸収する。外箱７の上記３つの面部３６以外の３つの面部３６Ａの開口部３３側において面部３６Ａの幅方向の中央には、万華鏡箱５及び遮光板６を取り付けるためのタッピングスクリューのような皿ねじ３９ｂを貫通させる貫通孔３９ａが形成される。
【００１１】
保持構成体８は、万華鏡箱５に設けられた光ファイバー９の光出口部２３の固定用の上記取付孔２１と、外箱７に形成された上記通孔３７と、この通孔３７に対応して外箱７の外面３６ａに接着剤で取り付けられた光ファイバー固定部４０とにより形成される。光ファイバー固定部４０の長手方向の長さは、通孔３７の幅（長手）方向の長さより長く、１つの外面３６ａに設けられた１対の取付支柱３８；３８間の幅より短い寸法に形成される。光ファイバー固定部４０の前後（短手）方向の長さは、通孔３７の前後（短手）方向の長さより長く、回路基板５０の前後短手方向の長さより短い。
【００１２】
図１に示すように、光ファイバー固定部４０における外箱７の外面３６ａに接する側とは反対側の面である外面４１には、長手方向に沿って所定間隔を隔てて複数のＬＥＤ収納凹部４２が個別に形成される。光ファイバー固定部４０には、ＬＥＤ収納凹部４２より外箱７の外面３６ａと接触する内面４１ａまで貫通する光ファイバー９の光入口部４３の位置決め孔４４が複数形成される。位置決め孔４４にはゴム収納孔４５とねじ孔４６とが連接される。このゴム収納孔４５内に設置されたゴム４７を位置決め孔４４の方向に押圧する調整ねじ４８がねじ孔４６に取り付けられて光ファイバー固定部４０の外部に突出する。光ファイバー９の光入口部４３を位置決め孔４４内に挿入して光入口部４３の端面４９をＬＥＤ収納凹部４２内に若干突出する状態としてから、調整ねじ４８を回して位置決め孔４４に挿入された光ファイバー９にゴム４７を押し付けることで、光ファイバー９の光入口部４３が位置決め孔４４より抜けないように光ファイバー９の光入口部４３を位置決め固定できる。光ファイバー９は拡散剤入りの光ファイバーを用いる。ＬＥＤ収納凹部４２に対応する複数の光源としてのＬＥＤ１０は回路基板５０に搭載される。回路基板５０にはＬＥＤ１０への給電線を接続するためのコネクタ５１が搭載される。複数のＬＥＤ１０が光ファイバー固定部４０の外面４１に形成されたＬＥＤ収納凹部４２内に収まるように回路基板５０が光ファイバー固定部４０の外面４１及び取付支柱３８に取り付けられる。すなわち、ＬＥＤ１０は、万華鏡箱５の反射空洞１６に照射した光で万華鏡像を３つの反射面１２に映し出すように３つの反射面１２の各々に対し６個ずつ割り当てられて配置される。ＬＥＤ１０としては、赤、緑、青の三色の発光素子を備えた七色に発光可能な三色型のＬＥＤ１０を用いる。三色型のＬＥＤ１０は、赤、緑、青、赤＋緑、緑＋青、青＋赤、青＋緑＋赤の七色を発光可能なものである。三色型のＬＥＤ１０を用いて、演出制御装置４でＬＥＤ１０の発光色やＬＥＤ１０の点滅を制御することで、遊技者は、万華鏡箱５の反射空洞１６内で反射することで形成される様々な光色模様の万華鏡像を覗き孔２５を通して前側より見ることができるようになり、万華鏡箱５による光装飾効果を高めることができる。ＬＥＤ１０は演出制御装置４の制御プログラムで発光色や点滅による演出を即座に再現できるので、１つの演出形態を何回も演出するパチンコ機に好適である。
【００１３】
図１参照を参照し、遊技部品３の組立方法について説明する。万華鏡箱５の取付孔２１内に光ファイバー９の光出口部２３を取り付けておく。すなわち、取付孔２１内に光ファイバー９の光出口部２３を挿入し、光出口部２３の端面２４を万華鏡箱５の反射空洞１６の反射面１２の近傍に位置させた状態で光出口部２３を接着剤により取付孔２１内に固定する。また、光ファイバー固定部４０を、位置決め孔４４と通孔３７とが一致するように外箱７の３つの外面３６ａに接着剤で取り付けておく。そして、万華鏡箱５の後端部１７を、外箱７の開口部３３から外箱７の内側に入れて、外箱７の裏板３２に形成された保持部３４に挿入して位置決め保持し、万華鏡箱５の取付孔２０ａと外箱７の貫通孔３９ａとを対応させる。この状態で、遮光板６を万華鏡箱５の開口部１５の前面に配置して遮光板６の取付部２７の取付孔２９を外箱７の貫通孔３９ａと万華鏡箱５の取付孔２０ａとの間に挿入し、外箱７の外側から皿ねじ３９ｂを貫通孔３９ａ及び取付孔２９に挿入して万華鏡箱５の取付孔２０ａに締結することで、外箱７と遮光板６と万華鏡箱５とが互いに組み付けられる。そして、光ファイバー９の光入口部４３を光ファイバー固定部４０の位置決め孔４４に挿入して、光入口部４３の端面４９をＬＥＤ収納凹部４２内に突出させてから調整ねじ４８を締結して光ファイバー９の光入口部４３を位置決め孔４４内に固定する。そして、止ねじ５２を回路基板５０の短手方向の両端部に形成された貫通孔５３を経由して光ファイバー固定部４０の取付孔５４に締結する。さらに、図２に示すように、止ねじ５５を回路基板５０の長手方向の両端部に形成された貫通孔５６を経由して取付支柱３８の取付孔３８ａに締結することで、遊技部品３が形成される。
【００１４】
図１に示すように、遊技部品３は、外箱７の取付フランジ３５より後方部分を遊技盤２に形成された逃げ孔６０を経由して遊技盤２の裏側に位置させた状態で、止ねじ６１を取付フランジ３５の貫通孔６１ａに通し、遊技盤２の前面６２の取付孔６３に締結することで、遊技盤２に取り付けられる（図２；３参照）。そして、両端にコネクタ７０；７１を備えた配線７３の一端のコネクタ７１を主制御装置７４と接続された演出制御装置４のコネクタ７５に接続し、配線７３の他端のコネクタ７０を回路基板５０のコネクタ５１に接続することで遊技装置１が形成される。
【００１５】
本形態の遊技装置１によれば、万華鏡箱５が前側に開口した角錐形の反射空洞１６を備え、かつ、ＬＥＤ１０が１つ１つの反射板１１に対し６個ずつ割り当てられて万華鏡箱５の反射空洞１６に光を照射するので、三角柱形状の万華鏡と比べて三角錐形の反射空洞１６により複雑な光模様の万華鏡像を見せることができる。さらに、万華鏡箱５が三角錐形なので、三角柱形状のものと比べて前後の長さを短くできるので裏側スペースの少ないパチンコ機に搭載するのに好適となる。外箱７が、裏板３２の中央に万華鏡箱５の後端部１７を位置決め保持する保持部３４を備えるとともに、取付フランジ３５を備え、開口部１５側の内面には万華鏡箱５と遮光板６とが取り付けられる構成を備えるので、万華鏡箱５の後端部１７を保持部３４に位置決め保持させることで、外箱７と万華鏡箱５と遮光板６との組み付け作業を容易にできる。また、万華鏡箱５の前後を外箱７に安定に組み付けることができる。そして、万華鏡箱５が外箱７に安定に組み付けられるので、外箱７の外面への球（パチンコ球）の衝突による万華鏡箱５の変形や揺れを防止できる。図４に示すように、万華鏡箱５の正三角形の開口部１５における３つの底辺部と外箱７の開口部３３における３つの面部３６の開口縁３６Ｆとが平行となるように外箱７と万華鏡箱５とが組み付けられ、万華鏡箱５の開口部１５と外箱７の開口部３３との間に光ファイバー９を前側から見せるための前側に開口する開口部１５Ｆを形成したので、前側から光ファイバー９の光色、点滅により演出される光装飾を見ることができ、光装飾効果を高めることができる。光ファイバー９は拡散剤入りの光ファイバーを用いているので、光ファイバー９による光装飾を明るく見せることができる。外箱７の内面には黒色塗膜３９が形成されているので、光ファイバー９による光装飾、及び、万華鏡箱５内の万華鏡像による光装飾を、より鮮明に見せることができる。
【００１６】
図６を参照し、遊技装置１を搭載した遊技機としてのパチンコ機８０を説明する。パチンコ機８０の遊技機枠８１は、固定枠８２と固定枠８２に対してヒンジ８３により片開き可能に設けられた可動枠８４と可動枠８４に対してヒンジ８５；８６により片開き可能に設けられた前面パネル枠８７及び皿構造体８８とにより形成される。可動枠８４に設けられた遊技盤収納部８９に遊技盤２が収納され、遊技盤２あるいは可動枠８４の裏側には主制御装置７４、演出制御装置４、図外の払出機構、球樋などが設けられる。前面パネル枠８７にはランプ飾り８７ａ及び開口部９０が形成され、開口部９０を塞ぐようにガラスなどの光透過性の有るパネル９１が設けられる。固定枠８２に対して可動枠８４が閉じられ、可動枠８４に対して前面パネル枠８７及び皿構造体８８が閉じられた状態において、遊技盤２の前面６２とガイドレール９２とパネル９１とで区画された遊技領域９３が形成される。遊技部品３は、遊技領域９３の右下に相当する位置において遊技盤２に取り付けられる。図１に示すように、遊技部品３の前面９４とパネル９１との間の距離は球１個の直径より小さい。従って、発射操作機構９５の操作により球受皿部９６からの球が、図外の発射機構より発射されてガイドレール９２を経由しガイドレール９２の終端に設けられた戻り防止弁９７を超えて遊技領域９３に投入された場合には、遊技部品３の前面９４とパネル９１との間を通過しない。尚、遊技部品３は外箱７の上面９８が水平より左あるいは右に若干傾斜するような状態に遊技盤２に取り付けられる。これにより、遊技領域９３に投入された球が外箱７の上面９８に停滞することがない。遊技盤２の前面６２には、飾り部品１００、始動入賞部品１０１、可変入賞部品１０２、一般入賞部品１０３、風車１０４、図外の釘などが設けられる。飾り部品１００の透過パネル１０５の裏側には液晶表示器のような図柄表示器１０６が配置される。
【００１７】
パチンコ機８０の制御について説明する。遊技領域９３に入った球が始動入賞部品１０１に入賞すると、主制御装置７４が当たり外れ抽選を行う。当たり外れ抽選では、主制御装置７４が始動入賞信号の入力タイミングで図外の当たり外れ抽選カウンタの乱数値を取得し、取得した乱数値を図外の当たり外れ知識に照合し、当たり外れ知識より乱数値に応じた当たり、外れ、確率変動、時間短縮及び変動パターンなどの図柄合わせ遊技情報を抽出する。主制御装置７４は、抽出した図柄合わせ遊技情報を当たり外れ抽選結果として記憶し、この記憶された当たり外れ抽選結果を判定して当たりであると判定した場合には、演出制御装置４に図柄表示器１０６及び遊技部品３を制御させる。すなわち、演出制御装置４は、当たりの抽選結果の内容である図柄合わせ遊技情報に示される当たり図柄で図柄表示器１０６の図柄を停止させた後に、当たりの抽選結果の内容である図柄合わせ遊技情報に示される確率変動、時間短縮の情報に基づいて遊技部品３のＬＥＤ１０の色、点滅を制御する。確率変動あるいは時間短縮の情報が得られている場合には、特定のパターンでＬＥＤ１０の色、点滅を制御することにより、遊技者に特定の万華鏡像を見せて、遊技者に確率変動あるいは時間短縮を告知する。例えば、演出制御装置４に制御プログラムを設け、この制御プログラムにより、すべてのＬＥＤ１０を同じ色で点滅制御したり、それぞれのＬＥＤ１０の色、点滅を同じ態様で制御したりすることで遊技者に確率変動や時間短縮の当たりを告知できる。よって、確率変動あるいは時間短縮の告知を、遊技装置１による万華鏡像、光ファイバー９による光装飾で遊技者に見せることができる。主制御装置７４は図柄表示器１０６の図柄を停止を確認した後、遊技者に確率変動あるいは時間短縮を告知する前あるいは後に、当たり遊技を実行する。すなわち、可変入賞部品１０２の開閉体１０７を所定回数または所定時間開閉する当たり遊技と呼ばれる一連の遊技が行われる。そして、遊技領域９３に発射された球が開閉体１０７の開放中に可変入賞部品１０２に入賞すると、主制御装置７４が払出指示信号を図外の発射払出制御装置に出力し、発射払出制御装置が図外の払出機構を制御する。これにより、払出機構が可変入賞に対応して決められた数の球を球受皿部９６に払い出す。尚、確率変動遊技とは、抽選での当たりの結果の得られる確率が通常遊技の確率より高くなるように当たり外れ知識において当たりの結果の数を多くするよう当たり外れ知識のデータを書き換えて行う遊技を言う。時間短縮遊技とは始動入賞に基づく図柄変動時間を短縮する遊技である。確変変動遊技や時間短縮遊技はいずれも当たり遊技終了後にさらに当たりの抽選結果を得られやすいようにする遊技であり、結果的に遊技者に有利な遊技となるものである。
【産業上の利用可能性】
【００１８】
図７に示すように、飾り部品１００及び図柄表示器１０６の代わりに、遊技装置１を用いてもよい。この遊技装置１は、取付フランジ１１０で３つの外箱７を左右及び左右間の上方に設けた形態であり、１つ１つの外箱７に、万華鏡箱５、遮光板６、保持構成体８、光ファイバー９、ＬＥＤ１０が組み付けられてなる遊技部品３を３つ備えたものである。この遊技装置１を遊技盤２の遊技領域９３のほぼ中央に取り付ける。この場合、演出制御装置４は、当たりの場合に、３つの遊技部品３のＬＥＤ１０の色、点滅を特定のパターンで制御することにより、遊技者に当たりを告知する。例えば、演出制御装置４に制御プログラムを設け、この制御プログラムにより、３つの遊技部品３のすべてのＬＥＤ１０を同じ色で点滅制御したり、３つの遊技部品３のそれぞれのＬＥＤ１０の色、点滅を同じ態様で制御したりすることで遊技者に当たりを告知できる。
【００１９】
遊技装置１を、図６に示すような始動入賞部品１０１のチューリップと呼ばれるような開閉体１１１を開くか否かの抽選結果を表示する普通図柄表示器として使用することもできる。この抽選結果は、チャッカーと呼ばれるような球通過検出部品１１２への球の通過を契機とした抽選で得られる。
遊技装置１を、スロットマシンに搭載される図柄表示器の代わりに用いても良い。
取付フランジ３５を万華鏡箱５に連結した構成の遊技部品としてもよく、この場合、外箱７を省ける。
遊技部品３の開口部１５の前面に光透過性の有るパネルを取り付け、この遊技部品３の前面９４を、前面パネル枠８７のパネル９１に設けられた図外の孔を経由させてパネル９１の前面より前方に突出させてもよい。
万華鏡箱５は、多数の反射板１１からなる反射面１２を互いに内側に向き合わせる組み合わせによって前側に開口した角錐形の反射空洞の形成されたものであればよく、角錐形状を型で形成したものでもよい。
角錐は、五角錐、四角錐、六角錐などの多角錐でもよい。
ＬＥＤ１０は万華鏡箱５の反射面１２に取り付けてもよく、この場合、光ファイバーを省ける。
反射空洞１６の後端部１７は開口していてもよいが、閉じていた方が外乱光の入り込みが少なくなり、万華鏡像を鮮明に見せることができる。
ＬＥＤ１０は角錐を形成する多数の反射板の１つ１つに対し少なくとも１個ずつ割り当てられていればよい。
【図面の簡単な説明】
【００２０】
【図１】パチンコ機に搭載された遊技装置を構成する遊技盤及び遊技盤に取り付けられた遊技部品の断面図（最良の形態）。
【図２】遊技部品の分解斜視図（最良の形態）。
【図３】遊技盤に取り付けられた遊技部品の斜視図（最良の形態）。
【図４】遊技部品の前面図（最良の形態）。
【図５】遊技部品の裏面図（最良の形態）。
【図６】遊技装置を搭載したパチンコ機の正面図（最良の形態）。
【図７】遊技装置を搭載したパチンコ機の正面図（他例）。
【符号の説明】
【００２１】
１  遊技装置
２  遊技盤
３  遊技部品
４  演出制御装置（制御装置）
５  万華鏡箱
６  遮光板
７  外箱
９  光ファイバー
１０  ＬＥＤ（光源）
１１  反射板
１２  反射面
１５；３３  開口部
１６  反射空洞
２５  覗き孔
３４  保持部
３５  取付フランジ(取付部材)
【図１】
2006136377.tif 000003
【図２】
2006136377.tif 000004
【図３】
2006136377.tif 000005
【図４】
2006136377.tif 000006
【図５】
2006136377.tif 000007
【図６】
2006136377.tif 000008
【図７】
2006136377.tif 000009